(57)【要約】【課題】  自動販売機或いは両替機に適用可能である有価証券識別装置を提供する。【解決手段】移送装置、光源モジュール、複数の光源受光モジュールを含み、移送装置は有価証券を識別装置内に移送し、内部に移送通道を形成し、移送通道上方には発光ダイオード部品と第一レンズを設置し、該移送通道下方には光線を受ける光電ダイオードと第二レンズを設置する。有価証券は該移送装置を通過し識別装置の該移送通道に入ると、該発光ダイオード部品は異なる波長のパルスを有価証券上の同一区域に照射し、有価証券の別の表面には貫通した平行光が現れ、該貫通した平行光は該光電ダイオードが受け取る。さらにマイクロコントローラーは内部の所定基準値と該光電ダイオードが収集した光線の特性を比較対照し、有価証券の識別率と精度を向上させることができる。【選択図】  図１
2008197850.tif 000002
【特許請求の範囲】
【請求項１】
主に移送装置、光源モジュール、複数の光源受光モジュールを含み、
該移送装置は有価証券を識別装置内に移送し、該移送装置内部には移送通道を形成し、
該複数の光源モジュールは該移送通道平面上方に設置し、複数の発光ダイオードチップを封入し、異なる波長のパルスを発することができる発光ダイオード部品と該発光ダイオード部品が発する波長のパルスを受ける第一レンズを設け、
該複数の光源受光モジュールは該移送通道平面下方に設置し、該移送通道の平面が貫通する光線を受ける第二レンズと該第二レンズが受け取った光線を収集することができる光電ダイオードを含み、
上記構造により、該発光ダイオード部品は異なる波長のパルスを所定位置隔てた有価証券の表面に継続照射し、固定面積と形状の受測区域を形成することを特徴とする有価証券識別装置。
【請求項２】
前記発光ダイオード部品は第一レンズと組み合わせて、有価証券表面の同一位置において異なる波長のパルスを照射し探知を行うことを特徴とする請求項１記載の有価証券識別装置。
【請求項３】
前記複数の発光ダイオード部品は相互に対応する第一レンズと組み合わせて、該発光ダイオード部品が発する波長のパルスによって有価証券表面において重複しない受測区域を形成することを特徴とする請求項１記載の有価証券識別装置。
【請求項４】
前記発光ダイオード部品、該第一レンズ、該第二レンズ、該光電ダイオードは順番に相同の軸心位置上に設置されることを特徴とする請求項１記載の有価証券識別装置。
【請求項５】
前記発光ダイオード部品は可視光線及び不可視光線を発する発光ダイオードチップを封入可能であることを特徴とする請求項１記載の有価証券識別装置。
【請求項６】
前記可視光線は赤色光、緑色光、青色光であることを特徴とする請求項５記載の有価証券識別装置。
【請求項７】
前記不可視光線は赤外線或いは紫外線であることを特徴とする請求項５記載の有価証券識別装置。
【請求項８】
前記光電ダイオードが収集する光線の特性は、該発光ダイオード部品が有価証券に対して発する異なる波長のパルス照射を通過し異なる貫通率を示すことを特徴とする請求項１記載の有価証券識別装置。
【請求項９】
前記光電ダイオードが収集する平行光の特性は有価証券上の色を通してろ過された該発光ダイオード部品が発する異なるパルスであることを特徴とする請求項１記載の有価証券識別装置。
【請求項１０】
前記第一レンズは反射する光線を受け取り、平行の光線を出力することを特徴とする請求項１記載の有価証券識別装置。
【請求項１１】
前記第二レンズは平行に射出された光線を受け取り、集中した光線を出力することを特徴とする請求項１記載の有価証券識別装置。
【請求項１２】
前記光電ダイオードは有価証券を貫通した平行光を受け取り、該有価証券の蛍光繊維に対して測定を行うことを特徴とする請求項１記載の有価証券識別装置。
【請求項１３】
前記光電ダイオードは有価証券を貫通した平行光を受け取り、該有価証券のインクに対して測定を行うことを特徴とする請求項１記載の有価証券識別装置。
【請求項１４】
前記識別装置には盗難防止装置を設置することを特徴とする請求項１記載の有価証券識別装置。
【請求項１５】
前記識別装置は自動販売機或いは両替機に適用可能であることを特徴とする請求項１６記載の有価証券識別装置。
【請求項１６】
主に移送装置、光源モジュール、複数の光源受光モジュールを含み、
該移送装置は有価証券を識別装置内に移送し、該移送装置内部には移送通道を形成し、
該複数の光源モジュールは該移送通道平面上方に設置し、複数の発光ダイオードチップを封入し、異なる波長のパルスを発することができる発光ダイオード部品と該発光ダイオード部品が発するパルスを受ける第一レンズを含み、
該複数の光源受光モジュールは該移送通道平面下方に設置し、該移送通道の平面が貫通する光線を受ける第二レンズと該第二レンズが受け取った光線を収集することができる光電ダイオードを含み、
上記構造により、該発光ダイオード部品、該第一レンズ、該第二レンズ、該光電ダイオードの位置と該有価証券表面の受測区域の位置は相同な軸心上に位置することを特徴とする有価証券識別装置。
【請求項１７】
前記発光ダイオード部品は第一レンズと組み合わせ、有価証券表面の同一位置において異なる波長のパルスを照射し探知を行うことを特徴とする請求項１６記載の有価証券識別装置。
【請求項１８】
前記複数の発光ダイオード部品は相互に対応する第一レンズと組み合わせ、該発光ダイオード部品が発する波長のパルスによって有価証券表面において重複しない受測区域を形成することを特徴とする請求項１６記載の有価証券識別装置。
【請求項１９】
前記受測区域は固定面積と形状を備えることを特徴とする請求項１８記載の有価証券識別装置。
【請求項２０】
前記発光ダイオード部品は可視光線及び不可視光線を発する発光ダイオードチップを封入可能であることを特徴とする請求項１６記載の有価証券識別装置。
【請求項２１】
前記可視光線は赤色光、緑色光、青色光であることを特徴とする請求項２０記載の有価証券識別装置。
【請求項２２】
前記不可視光線は赤外線或いは紫外線であることを特徴とする請求項２０記載の有価証券識別装置。
【請求項２３】
前記第一レンズは、反射した光線を受け取り平行な光線を出力することを特徴とする請求項１６記載の有価証券識別装置。
【請求項２４】
前記第二レンズは平行に射出された光線を受け取り、集中した光線を出力することを特徴とする請求項１６記載の有価証券識別装置。
【請求項２５】
前記移送通道一端には盗難防止装置を設置することを特徴とする請求項１６記載の有価証券識別装置。
【請求項２６】
前記盗難防止装置片側には盗難防止ロックを設置することを特徴とする請求項２５記載の有価証券識別装置。
【請求項２７】
前記識別装置は自動販売機或いは両替機に適用可能であることを特徴とする請求項１６記載の有価証券識別装置。
【発明の詳細な説明】
【技術分野】
【０００１】
本発明は一種の有価証券識別装置に関する。特に一種の自動販売機或いは両替機内に設置する識別装置中に異なる波長を発射可能な発光ダイオード部品と光を平行に導き射出可能な第一レンズを設置し、これにより発光ダイオード部品が発射する異なる波長を備えたパルスは平行なビームとして有価証券の表面に照射され、有価証券の反対表面には貫通した平行光が生じ、有価証券表面には固定面積かつ形状の受測区域が形成され、有価証券識別装置内部のマイクロコントローラーは該貫通した平行光と所定の基準値を比較対照し、有価証券の真偽を識別し、有価証券の識別率と精度を向上させる機能と効果を備える有価証券識別装置に係る。
【背景技術】
【０００２】
現代社会は科学技術の発達に連れて、多くの公共の場所で利便性と迅速性が重視されるようになっているため、あらゆる場所に自動販売機（カード販売機、チケット販売機、氷河益など）が設置されている。自動販売機は人件費を大幅に節減可能であり、その利便性も現代人にとって歓迎すべきものである。現在の自動販売機の貨幣投入機には硬貨と紙幣用の２種の方式が採用されている。
しかし、商品の流通、貨幣の交換が可能となるに従い、紙幣偽造があらたな問題として浮上して来ている。コンピュータテクノロジーの進歩で、スキャナー、コピー、プリンターなどを巧みに使用し偽造される紙幣が増えたため、現在流通している紙幣の多くには各種の偽造防止技術が施されている。目に付き易い偽造防止としては、材料、インク、図像部分があり、消費者が識別し易くなっており、目に見えない部分は肉眼では識別不能で、機器設備を利用し識別する必要がある。
一般の紙幣識別機はローラーで紙幣を読み取り、磁石ヘッドにより紙幣の長軸を中心としスキャンし、紙幣上の紋章図案と肖像中央の磁性インクに特殊な記号を生じさせる。これにより紙幣識別機はこの特殊な記号と参考値表を交互に対照し、紙幣の額面と真偽を判断する。しかし、該構造では磁石ヘッドはインクの剥落により汚染されるため、しばしばメンテナンスを行う必要がある。しかも偽造紙幣製造者も磁性インクを備えたプリンターにより「紙幣」を印刷し、紙幣識別機をだまそうとしている。
【０００３】
そのため、図１４、１５に示すように、現在の紙幣識別機中には異なる発光ダイオードを利用し異なる光線を発生し、各種紙幣の特徴を識別するものがある。該紙幣識別機は内部の受測区域Ｆ１両側の上方においてリニア方式で排列する第一、第二リニア光源Ａ１、Ａ２を設置する。該両側の第一、第二リニア光源Ａ１、Ａ２が対応する中間部位には、複数の感光器Ｃ１を設置する。
識別文書Ｅ１が紙幣識別口に進入すると、洞口の光線を遮断し、ローラーＤ１を起動する。該識別文書Ｅ１が該紙幣識別機内に入り、該受測区域Ｆ１を通過すると、該識別文書Ｅ１両側の上方に設置する第一、第二リニア光源Ａ１、Ａ２は連続短パルスを受測物に照射し、該感光器Ｃ１前に設置する第一光学部品Ｂ１を通して反射する反射光を受け取る。さらに、ある指定時間に基づき感知数値を移送する。該数値は点灯した受測区域Ｆ１が感知した識別文書Ｅ１表面の色の平均光量を表し、こうして文書全体を検査する。
さらに、該識別文書Ｅ１の反対側には貫通率が強い付属光源Ａ４を発射する第四光学部品Ｂ４を設置し対応させ、該識別文書Ｅ１の貫通率を検査することができる。これにより該紙幣識別機は該識別文書Ｅ１の検査を完了後、該紙幣識別機中の演算ユニットは異なる光源が発する数値を受け取り、保存されている参考数値と比較し、受け取り或いは拒否を決定する。
【０００４】
しかし、この種の感知方式は、該識別文書Ｅ１の各部位上に多くの棒状の帯状ブロックを区画し、予め本体に保存する帯状ブロック参考値表と交互に対照する必要があり、さらに非常に精密なアレー計算を通して、初めて該識別文書Ｅ１上の各帯状ブロック数値が正確であるか否かを識別することができる。
しかも、この種の感知方式では、該受測区域Ｆ１両側上方の第一、第二リニア光源Ａ１、Ａ２内部に大量の発光ダイオードＡ３を設置し異なる色の検査光を発する必要があり、しかも該第一、第二リニア光源Ａ１、Ａ２が相対する前方にも第二光学部品Ｂ２、第三光学部品Ｂ３を設置し、光源出力の角度を調整する必要がある。
さらに該識別文書Ｅ１が反射する反射光も該第一光学部品Ｂ１を通して反射光を該感光器Ｃ１内に集中する必要があり、よって該第一、第二リニア光源Ａ１、Ａ２と該感光器Ｃ１及び３者が対応する光学部品Ｂ１、Ｂ２、Ｂ３は十分に精密な計算とアレンジを必要とする。さもなくば、予め本体に保存する帯状ブロック参考値と正確に比較対照することはできない。
【０００５】
上記公知構造には以下の欠点が存在する。
１．第一リニア光源Ａ１内部の複数の発光ダイオードＡ３の間には一定距離の区画があるが、この種の検査方式では、識別文書Ｅ１は同一受測区域Ｆ１において異なる光源による識別を受けることができず、受測光の平均値により紙幣の表面の色の反応を計算することができるだけである。
２．各国様々に異なる貨幣価値、異なる額面の識別文書Ｅ１はそれぞれの特徴を備えるため、本体データベースには非常に膨大な数値を予め保存する必要があり、これにより初めて各種識別文書Ｅ１上のすべての帯状ブロック位置に対して比較対照を行うことができる。
３．この種の感知方式は発光ダイオードＡ３の反射方式を通して、光線の照射角度を確認し、及び該感光器Ｃ１が対応する第一光学部品Ｂ１を通して反射された反射光を受け取り、こうして該識別文書Ｅ１上の各ブロック位置に照射し比較対照を行うため、該発光ダイオードＡ３、該感光器Ｃ１、該光学部品Ｂ１、Ｂ２、Ｂ３間の調整には高い精度が要求される。
４．該発光ダイオードＡ３が該識別文書Ｅ１上の各帯状ブロックに照射後は、非常に精密なアレー計算を行う必要があり、さもなくば該識別文書Ｅ１の真偽を確認することはできない。このため、費やされる時間も非常に長く、即時に紙幣を受け取る自動販売機には適用することができない。
５．この種の識別方式は必要とする設備は精密で、その全体構造は複雑に過ぎ、しかも構成部品が比較的多きため、製造と組み立てにおいてコストの増大を招く。
【０００６】
一方、即時識別が求められる銀行システムで使用するＡＴＭ或いは紙幣カウンターの大部分は紫外線照射を採用している。しかし、該紫外線照射方式は屋外の自動販売機に用いる紙幣識別機には適用することができない。なぜなら、該自動販売機は灯台の密封不良により、降雨時に湿気或いは水が浸入し、灯管のショートを招く恐れが高いからである。しかも、通常、灯管は一定時間の使用後は衰退現象が発生し易く、よってこの種の灯管は光の衰退が早く、消費電力が高く、高熱を発生し易く、寿命が短く、壊れ易く、回収が困難であるなどの欠点を備える。さらに、灯管が面積が比較的大きいため、自動販売機の限られた空間内の紙幣受け取り機内には適用することができなかった。
このため、自動販売機内の紙幣受け取り機に正確な識別能力を持たせることはなかなかに困難であったため、自動販売機を通して偽札を交換する事件が絶えなかった。
【特許文献１】特開平１０−１４３７０５号公報
【発明の開示】
【発明が解決しようとする課題】
【０００７】
本発明は上記の問題点に鑑みてなされたもので、上記公知の有価証券識別装置の構造の欠点を同時に改善し、効果的かつ迅速に紙幣の真偽を見極め、紙幣識別機の誤差許容値を拡大し、空間が限定された紙幣受け取り機内に応用可能とすることが本発明が解決しようとする課題である。
【課題を解決するための手段】
【０００８】
上記課題を解決するため、請求項１の発明は、主に移送装置、光源モジュール、複数の光源受光モジュールを含み、該移送装置は有価証券を識別装置内に移送し、該移送装置内部には移送通道を形成し、該複数の光源モジュールは該移送通道平面上方に設置し、複数の発光ダイオードチップを封入し、異なる波長のパルスを発することができる発光ダイオード部品と該発光ダイオード部品が発する波長のパルスを受ける第一レンズを設け、該複数の光源受光モジュールは該移送通道平面下方に設置し、該移送通道の平面が貫通する光線を受ける第二レンズと該第二レンズが受け取った光線を収集することができる光電ダイオードを含み、上記構造により、該発光ダイオード部品は異なる波長のパルスを所定位置隔てた有価証券の表面に継続照射し、固定面積と形状の受測区域を形成することを特徴とする有価証券識別装置である。
【０００９】
請求項２の発明は、前記発光ダイオード部品は第一レンズと組み合わせて、有価証券表面の同一位置において異なる波長のパルスを照射し探知を行うことを特徴とする請求項１記載の有価証券識別装置である。
請求項３の発明は、前記複数の発光ダイオード部品は相互に対応する第一レンズと組み合わせて、該発光ダイオード部品が発する波長のパルスによって有価証券表面において重複しない受測区域を形成することを特徴とする請求項１記載の有価証券識別装置である。
請求項４の発明は、前記発光ダイオード部品、該第一レンズ、該第二レンズ、該光電ダイオードは順番に相同の軸心位置上に設置されることを特徴とする請求項１記載の有価証券識別装置である。
請求項５の発明は、前記発光ダイオード部品は可視光線及び不可視光線を発する発光ダイオードチップを封入可能であることを特徴とする請求項１記載の有価証券識別装置である。
請求項６の発明は、前記可視光線は赤色光、緑色光、青色光であることを特徴とする請求項５記載の有価証券識別装置である。
請求項７の発明は、前記不可視光線は赤外線或いは紫外線であることを特徴とする請求項５記載の有価証券識別装置である。
請求項８の発明は、前記光電ダイオードが収集する光線の特性は、該発光ダイオード部品が有価証券に対して発する異なる波長のパルス照射を通過し異なる貫通率を示すことを特徴とする請求項１記載の有価証券識別装置である。
請求項９の発明は、前記光電ダイオードが収集する平行光の特性は有価証券上の色を通してろ過された該発光ダイオード部品が発する異なるパルスであることを特徴とする請求項１記載の有価証券識別装置である。
請求項１０の発明は、前記第一レンズは反射する光線を受け取り、平行の光線を出力することを特徴とする請求項１記載の有価証券識別装置である。
請求項１１の発明は、前記第二レンズは平行に射出された光線を受け取り、集中した光線を出力することを特徴とする請求項１記載の有価証券識別装置である。
請求項１２の発明は、前記光電ダイオードは有価証券を貫通した平行光を受け取り、該有価証券の蛍光繊維に対して測定を行うことを特徴とする請求項１記載の有価証券識別装置である。
請求項１３の発明は、前記光電ダイオードは有価証券を貫通した平行光を受け取り、該有価証券のインクに対して測定を行うことを特徴とする請求項１記載の有価証券識別装置である。
請求項１４の発明は、前記識別装置には盗難防止装置を設置することを特徴とする請求項１記載の有価証券識別装置である。
請求項１５の発明は、前記識別装置は自動販売機或いは両替機に適用可能であることを特徴とする請求項１６記載の有価証券識別装置である。
【００１０】
請求項１６の発明は、主に移送装置、光源モジュール、複数の光源受光モジュールを含み、該移送装置は有価証券を識別装置内に移送し、該移送装置内部には移送通道を形成し、該複数の光源モジュールは該移送通道平面上方に設置し、複数の発光ダイオードチップを封入し、異なる波長のパルスを発することができる発光ダイオード部品と該発光ダイオード部品が発するパルスを受ける第一レンズを設け、該複数の光源受光モジュールは該移送通道平面下方に設置し、該移送通道の平面が貫通する光線を受ける第二レンズと該第二レンズが受け取った光線を収集することができる光電ダイオードを含み、上記構造により、該発光ダイオード部品、該第一レンズ、該第二レンズ、該光電ダイオードの位置と該有価証券表面の受測区域の位置は相同な軸心上に位置することを特徴とする有価証券識別装置である。
【００１１】
請求項１７の発明は、前記発光ダイオード部品は第一レンズと組み合わせ、有価証券表面の同一位置において異なる波長のパルスを照射し探知を行うことを特徴とする請求項１６記載の有価証券識別装置である。
請求項１８の発明は、前記複数の発光ダイオード部品は相互に対応する第一レンズと組み合わせ、該発光ダイオード部品が発する波長のパルスによって有価証券表面において重複しない受測区域を形成することを特徴とする請求項１６記載の有価証券識別装置である。
請求項１９の発明は、前記受測区域は固定面積と形状を備えることを特徴とする請求項１８記載の有価証券識別装置である。
請求項２０の発明は、前記発光ダイオード部品は可視光線及び不可視光線を発する発光ダイオードチップを封入可能であることを特徴とする請求項１６記載の有価証券識別装置である。
請求項２１の発明は、前記可視光線は赤色光、緑色光、青色光であることを特徴とする請求項２０記載の有価証券識別装置である。
請求項２２の発明は、前記不可視光線は赤外線或いは紫外線であることを特徴とする請求項２０記載の有価証券識別装置である。
請求項２３の発明は、前記第一レンズは、反射した光線を受け取り平行な光線を出力することを特徴とする請求項１６記載の有価証券識別装置である。
請求項２４の発明は、前記第二レンズは平行に射出された光線を受け取り、集中した光線を出力することを特徴とする請求項１６記載の有価証券識別装置である。
請求項２５の発明は、前記移送通道一端には盗難防止装置を設置することを特徴とする請求項１６記載の有価証券識別装置である。
請求項２６の発明は、前記盗難防止装置片側には盗難防止ロックを設置することを特徴とする請求項２５記載の有価証券識別装置である。
請求項２７の発明は、前記識別装置は自動販売機或いは両替機に適用可能であることを特徴とする請求項１６記載の有価証券識別装置である。
【００１２】
本発明人は公知の有価証券受け取り機内の探知装置には異なる波長のパルスを利用し有価証券上の同一の位置に対して探知を行う特性を持たないことに鑑み、有価証券受け取り機の製造における経験と技術の蓄積を傾け、上記欠点に対して解決方法を開発した。さらにたゆまぬ研究と実験、改良を加え、全く新しい有価証券識別装置を発明するに至った。
それは、主に自動販売機或いは両替機内に設置する有価証券受け取り機において異なる波長のパルスを有価証券の同一位置に照射し、相互に対応する光電ダイオードを通して有価証券を貫通する光線を受け取り、有価証券の真偽を識別し、この種の異なる光源を同一位置に照射する探知方式は全体の部品数を減少させることができ、自動販売機或いは両替機の購入コストを低下させ、それが占める体積を減少させることができる。
また、有価証券受け取り機において発光ダイオードにより光源の発射を行い、該発光ダイオードに封入する発光ダイオードチップが占める体積は小さいため、自動販売機或いは両替機の空間が限られた有価証券受け取り機内にも適用可能で、その全体構成部品はシンプルで、しかも第一レンズを組み合わせることで、精密な光線照射角度の調整を行う必要がなく、さらに発光ダイオードは、ライトのように発熱が多くなくて済み、反応速度が速く、消費電力が低く、低汚染で、輝度が高く、寿命が長いなどの特性があるため、有価証券真偽識別の安定性を拡大し、有価証券識別率を向上させ、精度を高める効果を備えることを特徴とする有価証券識別装置である。
【発明の効果】
【００１３】
上記のように、本発明の有価証券識別装置によれば、異なる光源を同一位置に照射する探知方式は全体の部品数を減少させることができ、自動販売機或いは両替機の購入コストを低下させ、それが占める体積を減少させることができ、発光ダイオードに封入する発光ダイオードチップが占める体積が小さいので、自動販売機或いは両替機の空間が限られた有価証券受け取り機内にも適用可能であり、さらに、全体構成部品はシンプルで、第一レンズを組み合わせることで、精密な光線照射角度の調整を行う必要がなく、発光ダイオードは発熱が少なく、反応速度が速く、消費電力が低く、低汚染で、輝度が高く、寿命が長い。
したがって、有価証券真偽識別の安定性を拡大し、有価証券識別率を向上させ、精度を高める効果を奏する。
【発明を実施するための最良の形態】
【００１４】
本発明の特性に対する理解を助けるため、ここで光線の物理特性について簡単に説明する。
一般に知られる光線の色はおよそ赤、オレンジ、黄、緑、藍、青、紫などである。異なる色の光線は異なる波長を備えるため、異なる色の光線がある物体に照射されると、該光線は他の色の光線とは異なる貫通率と反射率を示す。例えば、光線が赤色の物体に照射されると、スペクトラム中の赤色光は物体に反射及び透射され、他の色の光は物体に吸収され、我々は赤色を眼にすることができる。さらに、赤色の光線がある物体を照射すると、赤色光と上記他の光線との比較により明らかなように、赤色光は最強の貫通率を備えるため、他の色の光線が該物体に照射されると、該物体が透射する光線は赤色光に比べ弱い。本発明は上記光線の特性を有価証券の識別に応用するものである。
以下、さらに異なる波長の光線は該光線の備える異なる色を示すため、本本発明の好適な有価証券識別装置の実施例において、光線の波長に対して詳細に説明する。
【００１５】
本発明の有価証券識別装置１は、その側面断面図である図１に示すように、移送装置１１、光源モジュール１２、光源受光モジュール１３、盗難防止ゲート１４、盗難防止ロック１５を含む。
該移送装置１１は有価証券を挿入する入紙幣口１１１、有価証券を該識別装置１内部に送る移送通道１１２を含む。
該光源モジュール１２は該移送通道１１２が相対する上方に設置し、該光源モジュール１２はさらに異なる波長を発することができる発光ダイオード部品１２１と該発光ダイオード部品１２１が発する光線を受ける第一レンズ１２２を設置する。
該光源受光モジュール１３は該移送通道１１２が相対する下方に設置し、該光源受光モジュール１３はさらに該移送通道１１２の平面より貫通する光線を受ける第二レンズ１３１と該第二レンズ１３１が受け取った光線を収集することができる光電ダイオード１３２を設置する。前記発光ダイオード部品１２１は、図２に示すように、マイクロコントローラー２及びアナログ／デジタル転換(変換)器３に接続され、前記光電ダイオード１３２は拡大(増幅)器４からマイクロコントローラー２に接続されている。
該盗難防止ゲート１４は該移送通道１１２の末端に設置し、しかも該盗難防止ゲート１４の片側には盗難防止ロック１５を設置する。該盗難防止ゲート１４と該盗難防止ロック１５は該識別装置１において盗難防止装置を形成する。
【００１６】
さらに、識別システムのブロックチャートである図２、有価証券識別の指示図である図４、及び図１に合わせて示すように、本発明の有価証券識別装置は一般の自動販売機或いは両替機に応用される。
先ず、有価証券５を該入紙幣口１１１より入れ、該移送装置１１内部に設置する該移送通道１１２を通して該有価証券５を該識別装置１内に送入する。この時、該識別装置１内部のマイクロコントローラー２はデジタルの起動信号をアナログ／デジタル転換(変換)器３に送り、該アナログ／デジタル転換器３が該デジタル起動信号をアナログ信号に転換し、該発光ダイオード部品１２１に送ると、該発光ダイオード部品１２１は異なる波長のパルスを継続して発する。
これらのパルスが該第一レンズ１２２を通過すると、該パルスは平行なビームとなり該有価証券５の表面に照射され、固定面積と形状の受測区域５１を形成する（図４、５参照）。該有価証券５の反対表面には貫通した平行光が生じるが、該貫通した平行光はさらに該第二レンズ１３１を通過し、該第二レンズ１３１により該貫通した平行光は該光電ダイオード１３２に集中される。
さらに、該光電ダイオード１３２により収集された信号は拡大(増幅)器４に移送され、信号の拡大或いは増値を行い、該マイクロコントローラー２移送される。該信号が出力する図形と強度分布は、出力光場の指示図である図５、出力光場の強度分布図である図６に示す(横軸は有価証券５の位置、縦軸は受光部の光量(測定器による無単位))。
最後に該マイクロコントローラー２或いは予め設置する制御ユニットは内部の所定の基準数値と該光電ダイオード１３２が収集した平行光の特性を比較し、該有価証券５の真偽を分析する。
【００１７】
さらに、図７に示すように、発光ダイオード部品１２１、１２１a、第一レンズ１２２、１２２a、第二レンズ１３１、１３１a、光電ダイオード１３２、１３２aなどの部品と該受測区域５１、５１aなどの本発明有価証券識別装置が運用する部品がリニア相対関係を形成するとする。簡単に言えば、上記部品の配置は相同の軸心６、６a位置上にあるため、上記部品が形成するリニア関係により、該発光ダイオード部品１２１は内部に封入する発光ダイオードチップを利用し異なる波長のパルスを継続発射し、さらに、所定位置隔てた有価証券５表面に固定面積と形状の受測区域５１を形成することができる。よって、該識別装置１が該有価証券５の識別を行う時、該有価証券５上に形成する受測区域５１、５１aは繰り返し探知されることはなく、他の隣接する発光ダイオード部品（１２１aなど）のパルスの干渉を受けることはない。
【００１８】
該光源モジュール１２の発光ダイオード部品１２１によりすべての有価証券５の真偽を判断するに当たっては以下の判断方式がある。
第１種の方式は、該有価証券５の紙質を判別する方式である。該有価証券５は該発光ダイオード部品１２１の異なる波長の照射を受けると、有価証券５が生じる受測区域５１は異なる貫通率を示すため、該有価証券５が対応する受測区域５１は異なる強度の光源を発生する。よって該マイクロコントローラー２は異なる強度の光源と所定値を比較対照し、該有価証券５の真偽を判断する。
さらに、別の方式は、該有価証券５そのもの或いは有価証券５上の模様の色を利用し、該発光ダイオード部品１２１が発する異なる光線をろ過するものである。該マイクロコントローラー２は該有価証券５が貫通する光線と該マイクロコントローラー２或いは所定の制御ユニットの所定値を比較対照し、該有価証券５の真偽を判断する。
【００１９】
該光源モジュール１２の発光ダイオード部品１２１の回路図は図８、９、１０に示ようなモジュールを使用する。例えば、図８に示すように、１個のパッケージに青．緑．IR850．赤．IR940の合計５個のチップ(合計５色)を有する５色の発光ダイオードを組み込んだ光源モジュールである。また、別の光源モジュールとして、図９に示すように、発光ダイオードの光量を制御もので、例えば、図８の５色の発光ダイオードにおいて、明暗を制御できるモジュールであり、５色の発光ダイオードの内どの色を点灯或いは消灯するかを選択する。また、更に、別の光源モジュールとして、図１０に示すように、例えば、図９のモジュールにおいて、５色の発光ダイオードを制御するモジュールを使用してもよく、このモジュールは、どの色の発光ダイオードを作動させるか、及び、全体として５色の発光ダイオードを選択して発光させるものである。なお、図１０の配線中には計９個の５色発光ダイオードがあり、ユニット（Ｕ２）の機能は９個の５色発光ダイオードのＸ(１〜５)個を選択するもので、ユニット（Ｕ３）の機能は前記図９の配線に対応し５色の発光ダイオードの５個の発光ダイオードの色の明暗を制御するものである。
更に、前記アナログ／デジタル転換(変換)器３のモジュールの回路図を図１１に示すが、このモジュールは５色の発光ダイオードのそれぞれの輝度を制御するもので、図９のモジュールの動作に対応するものである。同様に、前記光源受光モジュール１３が別に備える該光電ダイオード１３２の回路図は図１２に示すが、ブランカード不要受信拡大回路図を有するモジュールは次の図１３のデジタルレジスターに対応するもので、光電流受取り信号を増幅する。図１３はデジタルレジスターにおけるブランクカード校正不要拡大(増幅)器４の回路図であり光源受光モジュール１３に設けられる。
【００２０】
本発明の特徴の一つは、該発光ダイオード部品１２１内部の発光ダイオードチップが発する異なる波長の光線を該有価証券５の同一位置に照射し、これにより該有価証券５の真偽を判読するものである。しかも、該第一レンズ１２２と該有価証券５の組合せを通して、本発明の実施例の有価証券識別装置は該有価証券５表面の同一位置において異なる波長のパルスによる測定を行うことができる。さらに多数組の発光ダイオードと相対する光学部品を利用し光源の出力角度を修正する必要がない。よって本発明はコストを低下させることができ、しかも識別精度を高めることができる。
該発光ダイオード部品１２１が発する異なる波長のパルスの長所は、従来の照明・ライトのような発熱がなく、反応速度が速く、体積が小さく、消費電力が低く、低汚染で、輝度が高く、寿命が長いなどで、よって、空間が限られた自動販売機或いは両替機内に適用可能である。この種の構造設計と識別方法を通して、有価証券真偽識別の安定性を拡大し、有価証券識別率を向上させ、精度を高める効果を備える。
【００２１】
本発明の有価証券識別装置の光源識別の動作フローチャートである図３に、本発明の有価証券識別の指示図である図４に示して説明するが、先ず前記発光ダイオード部品１２１が起動すると、以下のステップで順次処理が行われる。
ステップ（１０１）：スタート。
ステップ（１０２）：すべての発光ダイオード部品１２１の電圧値は一時保存変数中に保存される。
ステップ（１０３）：発光ダイオード部品１２１の電圧値を起動値に設定する。
ステップ（１０４）：一時保存変数中の発光ダイオード部品１２１の電圧値を読み取る。
ステップ（１０５）：発光ダイオード部品１２１の電圧値を設定する。
ステップ（１０６）：光電ダイオード１３２が受け取った電圧値を読み取る。
ステップ（１０７）：発光ダイオード部品１２１をオフにする。
ステップ（１０８）：発光ダイオード部品１２１の電圧値を増加する。
ステップ（１０９）：発光ダイオード部品１２１の電圧値が所定値を超過していないかどうかを確認し、Ｎｏ（ノー）ならステップ（１０４）に戻りステップ（１０５）以下を執行する。
ステップ（１１０）：終了。
【００２２】
上記の説明において、運用する発光ダイオード部品１２１により異なる波長のパルスを発するため、該発光ダイオード部品１２１は５種の異なる波長を備える発光ダイオードチップを封入する。該発光ダイオードチップの波長は６１５nm〜６３５nmの赤色光、５１５nm〜５３２nmの緑色光、４６０nm〜４７５nmの青色光、及びより強い貫通力を備える８５０nmの第一赤外線光、９４０nmの第二赤外線光あるいは紫外線光に分けられる。
これら発光ダイオードチップは１個のモジュール内に封入され、こうして該発光ダイオード部品１２１は同一位置において異なる波長のパルスを発する方式も、本発明有価証券識別装置の均等の範囲であり、この種の簡易な潤色及び同等効果の構造変化もすべて本発明に含まれることは勿論である。
さらに、上記説明で使用する有価証券は、紙幣、代替紙幣、トラベラーズチェック、或いは証券などの有価証券で、この種の簡易な潤色及び同等効果の運用変化もすべて本発明に含まれることは勿論である。
上述したように、本発明の実施例は、自動販売機或いは両替機内に設置する有価証券受け取り機において異なる波長のパルスを有価証券の同一位置に照射し、相互に対応する光電ダイオードを通して有価証券を貫通する光線を受け取り、有価証券の真偽を識別するもので、この種の異なる光源を同一位置に照射する探知方式は全体の部品数を減少させることができ、自動販売機或いは両替機の購入コストを低下させ、それが占める体積を減少させることができる。
また、有価証券受け取り機において発光ダイオードにより光源の発射を行い、該発光ダイオードに封入する発光ダイオードチップが占める体積は小さいため、自動販売機或いは両替機の空間が限られた有価証券受け取り機内にも適用可能である。
さらに、その全体構成部品はシンプルで、しかも第一レンズを組み合わせることで、精密な光線照射角度の調整を行う必要がなく、さらに発光ダイオードは従来の照明・ライトのような発熱がなく、反応速度が速く、消費電力が低く、低汚染で、輝度が高く、寿命が長いなどの特性があるため、有価証券真偽識別の安定性を拡大し、有価証券識別率を向上させ、精度を高める効果を備えることができる。
【００２３】
本発明の長所と公知構造の欠点を改善する特徴は以下の通りである。
１．本発明の有価証券識別装置は相同位置にあり、しかも異なる波長を備えるパルスにより有価証券の同一位置を照射し、さらに対応する光電ダイオードにより有価証券が反射する光線を収集し有価証券の真偽を識別する。これにより、公知構造では大量の発光ダイオード部品とそれが対応する感光器により識別文書表面の色の平均光量を測定し、さらに非常に精密なアレー計算を行う必要があった点を改善することができる。すなわち、本発明は異なる光源を同一位置に照射する探知方式により、全体の部品数を減少させ、自動販売機或いは両替機の購入コストを低下させ、それが占めるスペースを減少させることができる。
２．公知技術では受測区域両側上方に大量の発光ダイオードを設置し異なる色或いは波長の検査光を発する必要があり、しかも発光ダイオードが相対する前方には光学部品を設置し光源の出力角度を修正する必要があった。さらに、識別文書が発射する反射光もまた光学部品を通して感光器内に集中する必要があったため、発光ダイオード、感光器、及び両者が対応する光学部品は非常に精密な計算とアレンジを必要としていた。これに対して、本発明は発光ダイオード部品と光電ダイオードは相対するレンズにより光源の発射と受け取りを行うため、識別システムの生産、及び自動販売機或いは両替機への設置の正確度を向上させ、部品購入コストを低下させることができる。
３．本発明は発光ダイオードにより異なる波長のパルスを、有価証券に対して発射し探知を行うが、発光ダイオードの体積は小さいため、自動販売機或いは両替機の空間が限られた有価証券受け取り機内にも適用可能で、その全体構成部品はシンプルで、しかも精密な光線照射角度の調整を行う必要がなく、さらに発光ダイオード従来の照明・ライトのような発熱がなく、反応速度が速く、消費電力が低く、低汚染で、輝度が高く、寿命が長いなどの特性があるため、有価証券真偽識別の安定性を拡大し、有価証券識別率を向上させ、精度を高める効果を備える。
４．本発明は、異なる光線が異なる波長と異なる貫通率を備える特性を利用し有価証券の真偽を識別するため、発光ダイオードが発射するパルスにより有価証券の紙質、蛍光繊維或いはインクを通過する光線を測定する。よって、有価証券の識別率を向上させることができる。
５．本発明の有価証券識別装置は、発光ダイオード部品内に異なる色の発光ダイオードチップを設置し異なる色のパルスを発射可能である他、該発光ダイオード部品はさらに貫通力がより強く、不可視特性を備える赤外線発光ダイオードを組み合わせることができるため、異なる色の可視光線と不可視光線を相互に組み合わせることで、有価証券識別の特性を向上させ、有価証券の真偽の判断をさらに正確にすることができる。
６．識別装置内に設置する盗難防止ゲートと盗難防止ロックの組合せにより、紙幣箱内の紙幣に対するワイヤー使用、或いはテープを用いたフィッシング方式の粘着による窃盗を防止することができる。
上記は本発明の最適実施例であり、本発明の構造、特徴を限定するものではない。当該技術を熟知する者なら誰でも本発明の領域内において加えることができる変化や潤色もすべて本発明の特許範囲に含まれる。
【図面の簡単な説明】
【００２４】
【図１】本発明の実施例の側面断面図である。
【図２】本発明の実施例の識別システムのブロックチャートである。
【図３】本発明の実施例の光源識別の動作フローチャートである。
【図４】本発明の実施例の有価証券識別の指示図である。
【図５】本発明の実施例が出力する光場の指示図である。
【図６】本発明の実施例が出力する光場の強度分布図である。
【図７】本発明の別種の実施例の有価証券識別の指示図である。
【図８】本発明の実施例の発光ダイオード部品の回路図（一）である。
【図９】本発明の別の実施例の発光ダイオード部品の回路図（二）である。
【図１０】本発明の更に別の実施例の発光ダイオード部品の回路図（三）である。
【図１１】本発明の実施例のデジタル／アナログ転換器の回路図である。
【図１２】本発明の実施例の光電ダイオードの回路図である。
【図１３】本発明の実施例の拡大(増幅)器の回路図である。
【図１４】公知技術の識別装置の指示図である。
【図１５】公知技術のリニア光源分布の指示図である。
【符号の説明】
【００２５】
１  識別装置
１１  移送装置
１１１  入紙幣口
１１２  移送通道
１２  光源モジュール
１２１  発光ダイオード部品
１２１a  発光ダイオード部品
１２２  第一レンズ
１２２a  第一レンズ
１３  光源受光モジュール
１３１  第二レンズ
１３１a  第二レンズ
１３２  光電ダイオード
１３２a  光電ダイオード
１４  盗難防止ゲート
１４  盗難防止ロック
２  マイクロコントローラー
３  アナログ／デジタル転換(変換)器
４  拡大(増幅)器
５  有価証券
５１  受測区域
５１a  受測区域
６  軸心
６a  軸心
Ａ１  第一リニア光源
Ａ２  第二リニア光源
Ａ３  発光ダイオード
Ａ４  付属光源
Ｂ１  第一光学部品
Ｂ２  第二光学部品
Ｂ３  第三光学部品
Ｂ４  第四光学部品
Ｃ１  感光器
Ｄ１  ローラー
Ｅ１  識別文書
Ｆ１  受測区域
【図１】
2008197850.tif 000003
【図２】
2008197850.tif 000004
【図３】
2008197850.tif 000005
【図４】
2008197850.tif 000006
【図６】
2008197850.tif 000007
【図７】
2008197850.tif 000008
【図８】
2008197850.tif 000009
【図９】
2008197850.tif 000010
【図１０】
2008197850.tif 000011
【図１１】
2008197850.tif 000012
【図１２】
2008197850.tif 000013
【図１３】
2008197850.tif 000014
【図１４】
2008197850.tif 000015
【図１５】
2008197850.tif 000016
【図５】
2008197850.tif 000017